(57)【要約】【課題】キャッシュカード不要でＡＴＭを好適に使用することを可能にする。【解決手段】認証装置１０は、ユーザが所持する通信端末３０から前記ユーザが使用するＡＴＭ２０を識別するＡＴＭ識別子を受信する識別子受信部１１と、取引を識別する取引識別子を動的に生成する取引識別子生成部１２と、取引識別子生成部１２が生成した取引識別子を通信端末３０に送信する取引識別子送信部１３と、取引識別子送信部１３が取引識別子を通信端末３０に送信後に、識別子受信部１１が受信したＡＴＭ識別子で識別されるＡＴＭ２０からＡＴＭ２０で入力された取引識別子を受信するユーザ入力取引識別子受信部１４と、ユーザ入力取引識別子受信部１４が受信した取引識別子と取引識別子生成部１２が生成した取引識別子とに基づいて取引を認証する認証部１５と、を備える。【選択図】図１
2019191627.tif 000002
【特許請求の範囲】
【請求項１】
ユーザが所持する通信端末から、前記ユーザが使用するＡＴＭを識別するＡＴＭ識別子を受信する識別子受信手段と、
取引を識別する取引識別子を動的に生成する取引識別子生成手段と、
前記取引識別子生成手段が生成した前記取引識別子を前記通信端末に送信する取引識別子送信手段と、
前記取引識別子送信手段が前記取引識別子を前記通信端末に送信後に、前記識別子受信手段が受信したＡＴＭ識別子で識別される前記ＡＴＭから前記ＡＴＭで入力された取引識別子を受信するユーザ入力取引識別子受信手段と、
前記ユーザ入力取引識別子受信手段が受信した取引識別子と前記取引識別子生成手段が生成した取引識別子とに基づいて取引を認証する認証手段と、
を備える認証装置。
【請求項２】
前記取引識別子生成手段は、前記取引識別子を、前記識別子受信手段が受信したＡＴＭ識別子に紐付けて動的に生成する、
請求項１に記載の認証装置。
【請求項３】
前記識別子受信手段は、さらに前記ユーザを識別するユーザ識別子を受信し、
前記取引識別子生成手段は、前記ユーザ識別子に基づいて、前記ユーザが前記取引のための口座を有していることを確認した後に前記取引識別子を生成する、
請求項１又は２に記載の認証装置。
【請求項４】
前記取引識別子生成手段は、前記認証手段が前記取引を認証後に、前記認証に用いた取引識別子を無効にする、
請求項１から３のいずれか１項に記載の認証装置。
【請求項５】
前記取引識別子生成手段は、前記取引識別子を生成する際に有効期限を設定し、前記有効期限内は、前記取引識別子に一致する取引識別子を生成しない、
請求項１から４のいずれか１項に記載の認証装置。
【請求項６】
前記取引識別子生成手段は、前記認証に用いた取引識別子を無効にした後でも、前記有効期限が過ぎるまで前記取引識別子に一致する取引識別子を生成しない、
請求項５に記載の認証装置。
【請求項７】
ＡＴＭと、認証装置と、を備える認証システムであって、
前記ＡＴＭは、
前記ＡＴＭを識別するＡＴＭ識別子の情報を含むＡＴＭコードを表示するＡＴＭコード表示手段と、
ユーザによって入力された取引識別子を取得するユーザ入力取引識別子取得手段と、
前記ユーザ入力取引識別子取得手段が取得した取引識別子を前記認証装置に送信するユーザ入力取引識別子送信手段と、
を備え、
前記認証装置は、
前記ユーザが所持する通信端末から、前記ＡＴＭコード表示手段により表示された前記ＡＴＭコードを前記通信端末が読み取って取得した前記ＡＴＭ識別子を受信する識別子受信手段と、
取引を識別する取引識別子を動的に生成する取引識別子生成手段と、
前記取引識別子生成手段が生成した前記取引識別子を前記通信端末に送信する取引識別子送信手段と、
前記取引識別子送信手段が前記取引識別子を前記通信端末に送信後に、前記識別子受信手段が受信したＡＴＭ識別子で識別される前記ＡＴＭから前記ユーザ入力取引識別子送信手段が送信した取引識別子を受信するユーザ入力取引識別子受信手段と、
前記ユーザ入力取引識別子受信手段が受信した取引識別子と前記取引識別子生成手段が生成した取引識別子とに基づいて取引を認証する認証手段と、
を備える、
認証システム。
【請求項８】
ユーザが所持する通信端末から、前記ユーザが使用するＡＴＭを識別するＡＴＭ識別子を受信する識別子受信ステップと、
取引を識別する取引識別子を動的に生成する取引識別子生成ステップと、
前記取引識別子生成ステップで生成した前記取引識別子を前記通信端末に送信する取引識別子送信ステップと、
前記取引識別子送信ステップで前記取引識別子を前記通信端末に送信後に、前記識別子受信ステップで受信したＡＴＭ識別子で識別される前記ＡＴＭから前記ＡＴＭで入力された取引識別子を受信するユーザ入力取引識別子受信ステップと、
前記ユーザ入力取引識別子受信ステップで受信した取引識別子と前記取引識別子生成ステップで生成した取引識別子とに基づいて取引を認証する認証ステップと、
を備える認証方法。
【発明の詳細な説明】
【技術分野】
【０００１】
本発明は、認証装置、認証システム及び認証方法に関する。
【背景技術】
【０００２】
現金自動預払機（ＡＴＭ：Ａｕｔｏｍａｔｉｃ  Ｔｅｌｌｅｒ  Ｍａｃｈｉｎｅ）は、銀行等の金融機関だけでなく、駅やコンビニエンスストア等にも設置されるようになってきており、利用者は比較的簡単にＡＴＭを見つけることができるようになってきている。ＡＴＭでは、キャッシュカードさえあれば、通帳や印鑑を用いることなく現金の預け払いができるが、キャッシュカードすら用いることなく現金の預け払いができるシステムの開発も進められている。例えば特許文献１には、利用者の現在位置の近くに存在するＡＴＭの情報やワンタイムパスワードを利用者が所持する携帯電話に送信し、利用者がそのＡＴＭにワンタイムパスワードを入力することによって、キャッシュカードを用いることなく現金を引き出すことができるバンキング処理方法が開示されている。
【先行技術文献】
【特許文献】
【０００３】
【特許文献１】特開２００４−３０３０５７号公報
【発明の概要】
【発明が解決しようとする課題】
【０００４】
特許文献１に開示されているバンキング処理方法では、利用者はキャッシュカードを用いることなく現金を引き出すことができるが、その前に利用者は、携帯電話により案内されたＡＴＭまで出向かなければならない。また、仮に利用者が携帯電話により案内されたＡＴＭの目の前にいたとしても、携帯電話上で、そのＡＴＭを選択する操作を行わなければならず、煩雑である。すなわち、キャッシュカードを用いることなく好適にＡＴＭを使用するという観点からすると改善の余地がある。
【０００５】
本発明は、上記実情に鑑みてなされたものであり、キャッシュカード不要でＡＴＭを好適に使用することが可能な認証装置、認証システム及び認証方法を提供することを目的とする。
【課題を解決するための手段】
【０００６】
上記目的を達成するため、本発明の第１の観点に係る認証装置は、
ユーザが所持する通信端末から、前記ユーザが使用するＡＴＭを識別するＡＴＭ識別子を受信する識別子受信手段と、
取引を識別する取引識別子を動的に生成する取引識別子生成手段と、
前記取引識別子生成手段が生成した前記取引識別子を前記通信端末に送信する取引識別子送信手段と、
前記取引識別子送信手段が前記取引識別子を前記通信端末に送信後に、前記識別子受信手段が受信したＡＴＭ識別子で識別される前記ＡＴＭから前記ＡＴＭで入力された取引識別子を受信するユーザ入力取引識別子受信手段と、
前記ユーザ入力取引識別子受信手段が受信した取引識別子と前記取引識別子生成手段が生成した取引識別子とに基づいて取引を認証する認証手段と、
を備える。
【０００７】
前記取引識別子生成手段は、前記取引識別子を、前記識別子受信手段が受信したＡＴＭ識別子に紐付けて動的に生成する、
ようにしてもよい。
【０００８】
前記識別子受信手段は、さらに前記ユーザを識別するユーザ識別子を受信し、
前記取引識別子生成手段は、前記ユーザ識別子に基づいて、前記ユーザが前記取引のための口座を有していることを確認した後に前記取引識別子を生成する、
ようにしてもよい。
【０００９】
前記取引識別子生成手段は、前記認証手段が前記取引を認証後に、前記認証に用いた取引識別子を無効にする、
ようにしてもよい。
【００１０】
前記取引識別子生成手段は、前記取引識別子を生成する際に有効期限を設定し、前記有効期限内は、前記取引識別子に一致する取引識別子を生成しない、
ようにしてもよい。
【００１１】
前記取引識別子生成手段は、前記認証に用いた取引識別子を無効にした後でも、前記有効期限が過ぎるまで前記取引識別子に一致する取引識別子を生成しない、
ようにしてもよい。
【００１２】
上記目的を達成するため、本発明の第２の観点に係る認証システムは、
ＡＴＭと、認証装置と、を備える認証システムであって、
前記ＡＴＭは、
前記ＡＴＭを識別するＡＴＭ識別子の情報を含むＡＴＭコードを表示するＡＴＭコード表示手段と、
ユーザによって入力された取引識別子を取得するユーザ入力取引識別子取得手段と、
前記ユーザ入力取引識別子取得手段が取得した取引識別子を前記認証装置に送信するユーザ入力取引識別子送信手段と、
を備え、
前記認証装置は、
前記ユーザが所持する通信端末から、前記ＡＴＭコード表示手段により表示された前記ＡＴＭコードを前記通信端末が読み取って取得した前記ＡＴＭ識別子を受信する識別子受信手段と、
取引を識別する取引識別子を動的に生成する取引識別子生成手段と、
前記取引識別子生成手段が生成した前記取引識別子を前記通信端末に送信する取引識別子送信手段と、
前記取引識別子送信手段が前記取引識別子を前記通信端末に送信後に、前記識別子受信手段が受信したＡＴＭ識別子で識別される前記ＡＴＭから前記ユーザ入力取引識別子送信手段が送信した取引識別子を受信するユーザ入力取引識別子受信手段と、
前記ユーザ入力取引識別子受信手段が受信した取引識別子と前記取引識別子生成手段が生成した取引識別子とに基づいて取引を認証する認証手段と、
を備える。
【００１３】
上記目的を達成するため、本発明の第３の観点に係る認証方法は、
ユーザが所持する通信端末から、前記ユーザが使用するＡＴＭを識別するＡＴＭ識別子を受信する識別子受信ステップと、
取引を識別する取引識別子を動的に生成する取引識別子生成ステップと、
前記取引識別子生成ステップで生成した前記取引識別子を前記通信端末に送信する取引識別子送信ステップと、
前記取引識別子送信ステップで前記取引識別子を前記通信端末に送信後に、前記識別子受信ステップで受信したＡＴＭ識別子で識別される前記ＡＴＭから前記ＡＴＭで入力された取引識別子を受信するユーザ入力取引識別子受信ステップと、
前記ユーザ入力取引識別子受信ステップで受信した取引識別子と前記取引識別子生成ステップで生成した取引識別子とに基づいて取引を認証する認証ステップと、
を備える。
【発明の効果】
【００１４】
本発明によれば、キャッシュカード不要でＡＴＭを好適に使用することが可能な認証装置、認証システム及び認証方法を提供することができる。
【図面の簡単な説明】
【００１５】
【図１】本発明の実施の形態１に係る認証システムの機能ブロック図である。
【図２】実施の形態１に係る認証システムのハードウェア構成図である。
【図３】実施の形態１に係る通信端末が記憶するユーザ口座情報の一例を示す図である。
【図４】実施の形態１に係る認証装置が記憶する認証用口座情報の一例を示す図である。
【図５】実施の形態１に係る認証装置が記憶する認証用ＡＴＭ情報の一例を示す図である。
【図６】実施の形態１に係る認証システムの認証処理のシーケンス図である。
【図７】実施の形態１に係る認証装置が記憶する取引識別子履歴情報の一例を示す図である。
【図８】本発明の実施の形態２に係る認証システムの機能ブロック図である。
【図９】実施の形態２に係る認証システムのハードウェア構成図である。
【図１０】実施の形態２に係る認証システムの認証処理のシーケンス図である。
【発明を実施するための形態】
【００１６】
以下、本発明の認証装置を、キャッシュカード不要でＡＴＭを好適に使用できるサービスを提供する認証システムに適用した実施の形態について、図面を参照して説明する。
【００１７】
（実施の形態１）
実施の形態１に係る認証システム１は、キャッシュカード不要でＡＴＭを好適に使用できるサービス（カードレスＡＴＭサービス）を提供するシステムである。図１に示すように、認証システム１は、認証装置１０とＡＴＭ２０を備え、ユーザが所持する通信端末３０と通信することにより、ユーザがカードレスＡＴＭサービスを利用できるようにする。認証装置１０は、ＡＴＭ２０及び通信端末３０と通信し、ユーザが通信端末３０を使用することによってカードレスＡＴＭサービスを利用するための取引識別子（ワンタイムパスワード）を通信端末３０に発行する。ユーザがその取引識別子をＡＴＭ２０に入力すると、ＡＴＭ２０は入力された取引識別子を認証装置１０に送信し、認証装置１０は通信端末３０に発行した取引識別子とＡＴＭ２０から受信した取引識別子が一致したら、ＡＴＭ２０にカードレスＡＴＭサービスを開始させる。このような手順でカードレスＡＴＭサービスを開始させることにより、キャッシュカードが無くても安全な取引を可能にしている。
【００１８】
なお、通信端末３０には、カードレスＡＴＭサービス用のアプリケーションソフトウェア（ＡＴＭアプリ）がインストールされ、ユーザはこのＡＴＭアプリを起動して、カードレスＡＴＭサービスを利用する。ＡＴＭアプリは、専用のアプリケーションソフトウェアであってもよいし、ＷＥＢブラウザなどの汎用のアプリケーションソフトウェアであってもよい。なお、この実施の形態におけるユーザは金融機関の口座（カードレスＡＴＭサービスの利用口座）を持っており、ＡＴＭアプリを介して、ユーザの口座情報や個人情報が、通信端末３０及び認証装置１０に登録されていることを前提としている。
【００１９】
具体的には、認証装置１０は、図１に示すように、識別子受信部１１と、取引識別子生成部１２と、取引識別子送信部１３と、ユーザ入力取引識別子受信部１４と、認証部１５と、を備える。
【００２０】
識別子受信部１１は、通信端末３０（ＡＴＭアプリ）が認証装置１０に送信するユーザ識別子及びＡＴＭ識別子を受信する。識別子受信部１１は、識別子受信手段として機能する。ユーザ識別子とは、ユーザを一意に識別するもので、例えばユーザの金融機関の口座の番号、銀行の金融機関コード、通信端末３０のＩＤ（Ｉｄｅｎｔｉｆｉｅｒ）を含む情報である。ユーザ識別子は、後述するＡＴＭアプリによる口座登録処理により通信端末３０に記憶される。認証装置１０がユーザ識別子からそのユーザの金融機関の口座の番号を取得することができるように、ユーザ識別子は、少なくともそのユーザの金融機関の口座の番号の情報を含むか、又は、ユーザ識別子とそのユーザの金融機関の口座の番号とを対応付けたテーブルを認証装置１０が記憶するようになっている。また、ＡＴＭ識別子とは、ＡＴＭ２０を一意に識別するもので、例えば、銀行の金融機関コード及び支店コード並びに、その支店内の個々のＡＴＭ２０に割り振った一意のコードを含む情報である。ＡＴＭ識別子は、後述するＡＴＭコードから取得される。
【００２１】
取引識別子生成部１２は、識別子受信部１１が受信したＡＴＭ識別子に紐付けて動的に取引識別子を生成する。取引識別子生成部１２は、取引識別子生成手段として機能する。取引識別子とは、ユーザがＡＴＭ２０で行う取引を一意に識別するもので、例えば４桁の番号である。もっとも４桁の番号では「００００」から「９９９９」までの１万回の取引しか識別できないので、ここでいう「一意に識別」とは、実際には「所定の時間内（例えば直近１０分間）における取引を一意に識別」という意味である。取引識別子には有効期限があり、有効期限を徒過した取引識別子は無効となる（すなわち有効期限までは同じ番号の取引識別子は生成されず、有効期限経過後は過去に生成された取引識別子と同じ番号の取引識別子が生成されてもよい）。
【００２２】
取引識別子送信部１３は、取引識別子生成部１２が生成した取引識別子を通信端末３０に送信する。認証装置１０から取引識別子が送信されると、通信端末３０で実行されているＡＴＭアプリは、通信端末３０の画面に取引識別子を表示する。取引識別子送信部１３は、取引識別子送信手段として機能する。
【００２３】
ユーザ入力取引識別子受信部１４は、ＡＴＭ２０が認証装置１０に送信するユーザ入力取引識別子を受信する。ユーザ入力取引識別子受信部１４は、ユーザ入力取引識別子受信手段として機能する。ユーザ入力取引識別子とは、ユーザがＡＴＭ２０に入力した取引識別子である。ユーザ入力取引識別子についてさらに説明する。取引識別子送信部１３が取引識別子を通信端末３０に送信すると、通信端末３０の画面に取引識別子が表示され、ユーザは通信端末３０の画面に表示された取引識別子をＡＴＭ２０に入力し、ＡＴＭ２０はユーザによって入力された取引識別子を認証装置１０に送信する。このＡＴＭ２０が送信する「ユーザによって入力された取引識別子」がユーザ入力取引識別子である。
【００２４】
認証部１５は、ユーザ入力取引識別子受信部１４が受信したユーザ入力取引識別子と取引識別子生成部１２が生成した取引識別子とが同じであることを照合することによって取引を認証する。なお、上述したように取引識別子には有効期限があるため、ユーザ入力取引識別子受信部１４が取引識別子の有効期限内にユーザ入力取引識別子を受信していなければ、その取引の認証は失敗となる。もちろん、ユーザ入力取引識別子受信部１４が受信したユーザ入力取引識別子と取引識別子生成部１２が生成した取引識別子とが異なっていた場合も、その取引の認証は失敗となる。認証部１５は、認証手段として機能する。
【００２５】
ＡＴＭ２０は、図１に示すように、ＡＴＭコード表示部２１と、ユーザ入力取引識別子取得部２２と、ユーザ入力取引識別子送信部２３と、ＡＴＭ処理実行部２４とを備える。
【００２６】
ＡＴＭコード表示部２１は、ＡＴＭ２０の備えるディスプレイに、ＡＴＭ識別子の情報を含むＡＴＭコードを表示する。ＡＴＭコードとは、ＡＴＭ識別子の情報を、例えば２次元コード（ＱＲコードコード（登録商標）等）で表したものあり、通信端末３０のＡＴＭアプリは、ＡＴＭ２０のディスプレイに表示されたＡＴＭコードを読み取ることにより、ＡＴＭ２０のＡＴＭ識別子を取得することができる。ＡＴＭコード表示部２１は、ＡＴＭコード表示手段として機能する。
【００２７】
ユーザ入力取引識別子取得部２２は、ＡＴＭ２０の備えるタッチパネルにユーザが入力したユーザ入力取引識別子を取得する。ユーザ入力取引識別子とは、上述したように、ユーザがＡＴＭ２０に入力した取引識別子である。ユーザ入力取引識別子取得部２２は、ユーザ入力取引識別子取得手段として機能する。
【００２８】
ユーザ入力取引識別子送信部２３は、ユーザ入力取引識別子取得部２２が取得したユーザ入力取引識別子を認証装置１０に送信する。ユーザ入力取引識別子送信部２３は、ユーザ入力取引識別子送信手段として機能する。
【００２９】
ＡＴＭ処理実行部２４は、認証装置１０から認証が成功したことを通知されると、入金処理、出金処理等の、通常のＡＴＭ処理をユーザによる入力指示に従って実行する。
【００３０】
通信端末３０は、カードレスＡＴＭサービスのユーザ（利用者）が操作するスマートフォン、タブレット、ＰＣ（Ｐｅｒｓｏｎａｌ  Ｃｏｍｐｕｔｅｒ）、携帯電話、ＰＤＡ（Ｐｅｒｓｏｎａｌ  Ｄｉｇｉｔａｌ  Ａｓｓｉｓｔａｎｔ）等の情報通信機器である。通信端末３０は、上述したようにＡＴＭアプリがインストールされ、ＡＴＭコード読取部３１と、通信部３２と、を備える。当該ＡＴＭアプリは、ユーザによる通信端末３０に対する操作（ユーザ操作）に基づいて起動される。通信端末３０は、ＡＴＭアプリにおけるユーザ操作に基づいて、後述する認証処理を開始する。なお、認証処理は、通信端末３０と、認証装置１０と、ＡＴＭ２０とで協働して行われる処理である。なお、この実施の形態における通信端末３０には予めＡＴＭアプリがインストールされており、これに伴って当該カードレスＡＴＭサービスの利用口座やユーザの個人情報が、当該ＡＴＭアプリを介して通信端末３０および認証装置１０に登録されているものとする。
【００３１】
ＡＴＭコード読取部３１は、ＡＴＭ２０のディスプレイに表示されるＡＴＭコードを読み取って、ＡＴＭ２０のＡＴＭ識別子の情報を取得する。
【００３２】
通信部３２は、認証装置１０と通信する。具体的には、認証装置１０に、ユーザ識別子及びＡＴＭ識別子を送信する。
【００３３】
ホストコンピュータ４０は、金融機関のコンピュータであって、ユーザの口座に関する情報を保持し、口座に対する処理を実行する機能を有する。本実施の形態においては、ホストコンピュータ４０は、ＡＴＭ２０から入金、出金等の口座に対する処理を受けて実行し、処理結果をＡＴＭ２０に返す。
【００３４】
次に、認証システム１のハードウェア構成について、図２を参照して説明する。認証装置１０は、ＣＰＵ（Ｃｅｎｔｒａｌ  Ｐｒｏｃｅｓｓｉｎｇ  Ｕｎｉｔ）１０１と、ＲＡＭ（Ｒａｎｄｏｍ  Ａｃｃｅｓｓ  Ｍｅｍｏｒｙ）１０２と、ＲＯＭ（Ｒｅａｄ  Ｏｎｌｙ  Ｍｅｍｏｒｙ）１０３と、ハードディスクドライブ１０４と、ネットワークカード１０５とを備える。
【００３５】
ＣＰＵ１０１は、ハードディスクドライブ１０４に記憶されているプログラムをＲＡＭ１０２に読み出して実行することにより、上述した各種処理を実行する。
【００３６】
ＲＡＭ１０２は、揮発性メモリであり、ＣＰＵ１０１の作業領域や、ＣＰＵ１０１が実行するプログラムで使用される変数を格納する領域として用いられる。
【００３７】
ＲＯＭ１０３は、不揮発性メモリであり、ＣＰＵ１０１が実行する認証装置１０の基本動作のための制御プログラム、ＢＩＯＳ（Ｂａｓｉｃ  Ｉｎｐｕｔ  Ｏｕｔｐｕｔ  Ｓｙｓｔｅｍ）等を記憶する。
【００３８】
ハードディスクドライブ１０４は、認証装置１０に格納する各種情報と、ＣＰＵ１０１が実行するプログラムが格納される。
【００３９】
ネットワークカード１０５は、通信回線とのインターフェースであり、通信端末３０及び後述するＡＴＭ２０が備えるネットワークカード２０５と通信可能に接続されている。ネットワークカード１０５と通信端末３０及びネットワークカード２０５との間は直接接続されていても良く、インターネット、イントラネット、ＶＰＮ（Ｖｉｒｔｕａｌ  Ｐｒｉｖａｔｅ  Ｎｅｔｗｏｒｋ）、ＬＡＮ（Ｌｏｃａｌ  Ａｒｅａ  Ｎｅｔｗｏｒｋ）等のネットワークを介して接続されていても良い。
【００４０】
ＣＰＵ１０１、ＲＡＭ１０２、ＲＯＭ１０３、ハードディスクドライブ１０４およびネットワークカード１０５は、協働して、上述の識別子受信部１１、取引識別子生成部１２、取引識別子送信部１３、ユーザ入力取引識別子受信部１４又は認証部１５として機能する。
【００４１】
ＡＴＭ２０は、ＣＰＵ２０１と、ＲＡＭ２０２と、ＲＯＭ２０３と、ネットワークカード２０５と、ディスプレイ２０６と、タッチパネル２０７とを備える。
【００４２】
ＣＰＵ２０１は、ＲＯＭ２０３に記憶されているプログラムをＲＡＭ２０２に読み出して実行することにより、前述した認証処理や各種処理を実行する。なお、ＲＡＭ２０２に読み出さずに、ＲＯＭ２０３の上でそのままプログラムを実行してもよい。
【００４３】
ＲＡＭ２０２は、揮発性メモリであり、ＣＰＵ２０１の作業領域や、ＣＰＵ２０１が実行するプログラムで使用される変数を格納する領域として用いられる。
【００４４】
ＲＯＭ２０３は、不揮発性メモリであり、ＣＰＵ２０１が実行するＡＴＭ２０の基本動作のための制御プログラム、ＢＩＯＳ等の他、ＡＴＭ２０に格納する各種情報や、ＣＰＵ２０１が実行するプログラム等が格納される。
【００４５】
ネットワークカード２０５は、通信回線とのインターフェースであり、ホストコンピュータ４０及び認証装置１０が備えるネットワークカード１０５と通信可能に接続されている。ネットワークカード２０５とホストコンピュータ４０及びネットワークカード１０５との間は直接接続されていても良く、インターネット、イントラネット、ＶＰＮ、ＬＡＮ等のネットワークを介して接続されていても良い。
【００４６】
ＣＰＵ２０１、ＲＡＭ２０２、ＲＯＭ２０３、ネットワークカード２０５、ディスプレイ２０６及びタッチパネル２０７は、協働して、上述のＡＴＭコード表示部２１、ユーザ入力取引識別子取得部２２、ユーザ入力取引識別子送信部２３又はＡＴＭ処理実行部２４として機能する。
【００４７】
次に、認証システム１による認証処理について説明する。なお、認証処理は、上述したように、通信端末３０と、ＡＴＭ２０と、認証装置１０とで協働して行われる。また、認証処理に先立ち、予め通信端末３０にはユーザの口座番号の情報が登録されており、認証装置１０には、ＡＴＭ２０との通信時に用いるアドレス情報（例えばＩＰ（Ｉｎｔｅｒｎｅｔ  Ｐｒｏｔｏｃｏｌ）アドレス）や、ユーザの口座番号等の情報が登録されている。
【００４８】
通信端末３０へのユーザの口座番号の登録は、通信端末３０にインストールされるＡＴＭアプリによって行われる。まず、金融機関に口座を持つユーザは、自己が所有する通信端末３０にＡＴＭアプリをインストールして、起動する。通信端末３０に対するユーザの操作によりＡＴＭアプリが起動されると、当該起動が初回の起動であれば、ＡＴＭアプリはユーザの口座番号等の入力を受け付ける。初回起動以外でも、例えば口座番号登録ボタンにタッチする等のユーザの操作によって、ＡＴＭアプリは、口座番号登録処理を開始し、ユーザの口座番号等の入力を受け付ける。そして、ユーザにより口座番号等の入力操作が行われることにより、通信端末３０には、図３に示すようなユーザの氏名、口座番号、ユーザ識別子等の情報を含むユーザ口座情報が登録される。そして、ＡＴＭアプリは、ユーザ口座情報を認証装置１０に送信し、ＡＴＭアプリから送信されたユーザ口座情報を収集することにより、認証装置１０は後述する認証用口座情報を作成する。
【００４９】
図３では、ユーザ識別子は「金融機関コード（４桁）」＋「支店コード（３桁）」＋「口座番号（７桁）」として定義されているが、これに限られない。例えば、ＡＴＭアプリが認証装置１０にユーザ識別子発行リクエストを送信すると、認証装置１０がＡＴＭアプリから送信された口座番号等の情報に基づいて生成したユーザ識別子をＡＴＭアプリに返信するようにしてもよい。
【００５０】
認証装置１０は、図４に示すようなユーザの氏名、口座番号、ユーザ識別子等の情報を含む認証用口座情報と、図５に示すような各金融機関の各ＡＴＭ２０のＡＴＭ識別子及び各ＡＴＭ２０と通信する際に用いるアドレス（図５ではＩＰアドレス）の情報を含む認証用ＡＴＭ情報を記憶している。これらの情報のうち、認証用口座情報は、上述したように、ＡＴＭアプリが口座番号登録処理を行うことにより、認証装置１０に各ユーザのユーザ口座情報が送信されて、認証装置１０に登録される。また、認証用ＡＴＭ情報は、金融機関が所有しているＡＴＭ２０の情報を収集することにより予め作成しておくことが可能である。
【００５１】
なお、ＡＴＭアプリが口座番号登録処理を行う際に、認証装置１０にユーザ口座情報を送信しない（できない）場合は、認証装置１０は金融機関が所有している各ユーザの口座番号等の情報を収集して、認証用口座情報を作成することができる。また、認証装置１０は、ホストコンピュータ４０と通信して、ユーザの口座番号等の情報や、ＡＴＭ２０との通信時に用いるアドレス情報を取得してもよい。この場合は、認証装置１０は、認証用口座情報や認証用ＡＴＭ情報を記憶しておかなくても、認証処理を行っている最中に必要に応じてホストコンピュータ４０と通信してこれらの情報を取得することができる。
【００５２】
次に、図６を参照して認証システム１による認証処理について説明する。まず、ユーザがＡＴＭ２０のディスプレイ２０６に表示されている「カードレス入出金」をタッチして選択すると、ＡＴＭ２０のＡＴＭコード表示部２１は、ＡＴＭ２０のディスプレイ２０６にＡＴＭコードを表示する（ステップＳ１０１）。なお、「カードレス入出金」とは、キャッシュカードを用いることなく、当該カードレスＡＴＭサービスの利用口座へ現金を入金する処理と現金を出金する処理をいい、ＡＴＭ２０の初期画面には、カードレス入出金を行うためのメニューも表示されている。
【００５３】
ユーザが通信端末３０のＡＴＭアプリでＡＴＭ２０のディスプレイ２０６に表示されたＡＴＭコードを読み取る（ステップＳ１０２）と、ＡＴＭアプリはＡＴＭコードに含まれているＡＴＭ識別子の情報を取得する。そして、通信端末３０は、ＡＴＭアプリが取得したＡＴＭ識別子と、通信端末３０に記憶されているユーザ口座情報に含まれているユーザ識別子とを、認証装置１０に送信する（ステップＳ１０３）。すると認証装置１０の識別子受信部１１は、送信されたＡＴＭ識別子とユーザ識別子とを受信する（ステップＳ１０４）。ステップＳ１０４は、識別子受信ステップとも呼ばれる。そして、認証装置１０は、予め記憶されている認証用ＡＴＭ情報に基づいて通信端末３０から送信されたＡＴＭ識別子と照合し、当該ＡＴＭが実際に存在するＡＴＭであることを確認するとともに、認証用口座情報に基づき通信端末３０から送信されたユーザ識別子及びそのユーザ識別子で示されるユーザの口座番号が、当該カードレスＡＴＭサービスの利用口座であることを確認する（ステップＳ１０５）。
【００５４】
ＡＴＭ識別子及び口座番号の両方の存在が確認できたら、認証装置１０の取引識別子生成部１２は、ランダムに生成した４桁の番号を取引識別子として、ＡＴＭ識別子に紐付けて生成する（ステップＳ１０６）。ステップＳ１０６は取引識別子生成ステップとも呼ばれる。なお、取引識別子生成部１２は、取引識別子を生成する際に有効期限（例えば生成後１０分間等）を設定し、有効期限が過ぎた取引識別子を無効にできるようにする。また、取引識別子生成部１２は、直近（有効期限として設定する時間（例えば１０分間）内）に生成した取引識別子と同じものを生成しないようにする。このため、認証装置１０は、図７に示すように直近に生成した取引識別子の履歴情報を記憶し、取引識別子生成部１２は、同じＡＴＭ識別子の直近の取引識別子と同じものを生成した場合には、異なるものを生成するまで生成し直す。
【００５５】
なお、図７で各ＡＴＭ識別子に対して一番上にある取引識別子（図７では、「１２４６」と「３９７５」）のみが有効期限までの間有効であり、それ以外の取引識別子は無効である。図７にも示されているように、有効な取引識別子はＡＴＭ識別子に紐付いている。また、取引識別子生成部１２は、紐付いているＡＴＭ識別子のみならず、全てのＡＴＭ識別子のいずれかの直近の取引識別子と同じものを生成した場合には、異なるものを生成するまで生成し直すようにしてもよい。このようにすると、後述する認証ステップにおいて、有効な取引識別子の一致のみを確認するだけですむようになる。
【００５６】
次に、認証装置１０の取引識別子送信部１３は、取引識別子生成部１２が生成した取引識別子を通信端末３０に送信する（ステップＳ１０７）。ステップＳ１０７は、取引識別子送信ステップとも呼ばれる。すると、通信端末３０のＡＴＭアプリは通信端末３０のディスプレイに取引識別子を表示する（ステップＳ１０８）。ユーザはそれを見て、ＡＴＭ２０のタッチパネル２０７に取引識別子を入力する。そして、ユーザがＡＴＭ２０に取引識別子を入力後、ＡＴＭ２０のディスプレイ２０６に表示された「確認」をタッチすると、ＡＴＭ２０のユーザ入力取引識別子取得部２２は、ユーザがタッチパネル２０７に入力した取引識別子（ユーザ入力取引識別子）を取得する（ステップＳ１０９）。
【００５７】
そして、ＡＴＭ２０のユーザ入力取引識別子送信部２３は、ユーザ入力取引識別子取得部２２が取得したユーザ入力取引識別子を認証装置１０に送信する（ステップＳ１１０）。
【００５８】
すると、認証装置１０のユーザ入力取引識別子受信部１４は、ＡＴＭ２０が送信したユーザ入力取引識別子を受信する（ステップＳ１１１）。ステップＳ１１１は、ユーザ入力取引識別子受信ステップとも呼ばれる。そして、認証部１５は、ユーザ入力取引識別子受信部１４が受信したユーザ入力取引識別子と、取引識別子生成部１２が直近に生成した取引識別子とを比較することによってこの取引の認証を行う（ステップＳ１１２）。ステップＳ１１２は、認証ステップとも呼ばれる。
【００５９】
この認証は具体的には、認証部１５は、ユーザ入力取引識別子受信部１４でユーザ入力取引識別子を受信した際の送信元のＩＰアドレスが、ステップＳ１０５で確認したＡＴＭ識別子で示されるＡＴＭ２０のＩＰアドレスであることを、認証用ＡＴＭ情報に基づいて確認する。また、認証部１５は、ユーザ入力取引識別子受信部１４が受信したユーザ入力取引識別子と取引識別子生成手段が生成した取引識別子とが同じであり、しかも該取引識別子が認証用ＡＴＭ情報に基づいて確認したＩＰアドレスを持つＡＴＭ２０のＡＴＭ識別子に紐付いており、さらに、ユーザ入力取引識別子を受信した時刻が該取引識別子の有効期限内であることを、取引識別子履歴情報内の最新の取引識別子の情報に基づいて確認する。これらの条件を全て満たしていることが確認できれば認証成功であり、１つでも条件が満たされない場合は認証失敗となる。なお、取引識別子を全てのＡＴＭ２０での取引において一意に生成する場合は、有効な取引識別子が一致していることをもって認証成功としてもよい。
【００６０】
そして、認証装置１０は、認証結果（認証成功又は認証失敗）をＡＴＭ２０及び通信端末３０に送信し（ステップＳ１１３）、取引識別子生成部１２は、今回の認証に用いた取引識別子を無効化して（例えば、取引識別子履歴情報の「有効／無効」の項目を「無効」にする）、認証処理を終了する。
【００６１】
そして、ＡＴＭ２０は、認証装置１０から送信された認証結果に基づいて画面を遷移させる（ステップＳ１１４）。具体的には、認証成功の場合は、ＡＴＭ２０は、認証処理を終了し、取引画面（金額やキャッシュカードの暗証番号の入力を促す画面）の表示に遷移する。認証失敗の場合は、ＡＴＭ２０は、「認証できませんでした」等のエラーメッセージをディスプレイに表示し、初期画面（「カードレス入出金」のメニューが表示されている画面）に戻る。なお、通信端末３０は、認証装置１０から送信された認証結果を受信すると認証処理を終了する。
【００６２】
認証が成功すると、ＡＴＭ２０のＡＴＭ処理実行部２４は取引画面を表示し、ユーザが取引画面から金額等を入力（入金の場合は入金金額の入力、出金の場合は出金金額とキャッシュカードの暗証番号の入力）すると、ＡＴＭ処理実行部２４は、ホストコンピュータ４０と通信して、ユーザが入力した内容に応じたＡＴＭ処理を実行する（ステップＳ１１５）。そして、例えば、ユーザが出金処理を行ったのであれば出金を行って取引を終了する。
【００６３】
ＡＴＭ２０は、取引を完全に終了する前にディスプレイに「取引を続けますか？」等の確認画面を表示して、ユーザがこの確認画面に対して「はい」を答えれば、再度通信端末３０でＡＴＭコードを読み取らなくても、認証処理終了後以降の取引処理を継続して行えるようにしても良い。
【００６４】
認証装置１０の認証部１５による認証が失敗した場合は、ＡＴＭ２０は初期画面の表示に戻り、ユーザはカードレスＡＴＭサービスを利用したい場合には、ＡＴＭ２０のディスプレイに表示されている「カードレス入出金」のメニューを選択するところからやり直すことになる。
【００６５】
以上、認証システム１における認証処理について説明した。以上説明したように、認証システム１を用いることにより、金融機関はキャッシュカードを用いることなく、ユーザがＡＴＭ２０で取引を開始しようとしていることを確認することができ、ユーザはキャッシュカード不要でＡＴＭ２０を好適に使用することができる。
【００６６】
なお、図６に示す認証処理において、ユーザがＡＴＭ２０に取引識別子を入力する際に、取引内容（入出金の別、金額及びキャッシュカードの暗証番号）も入力できるようにしてもよい。この場合、ステップＳ１０９で、ＡＴＭ２０は、ユーザ入力取引識別子だけでなく、取引内容も取得できるので、認証処理終了後にユーザはＡＴＭ２０に何も入力しなくても、ＡＴＭ２０はＡＴＭ処理（ステップＳ１１５）を行うことができる。そして、ＡＴＭ２０はＡＴＭ処理の結果、例えば出金を行うことができる。このように、取引識別子入力時に取引内容も入力可能にすることにより、ユーザはＡＴＭ２０に対して、（取引識別子と取引内容の）一度の入力で、カードレスＡＴＭサービスを受けることができ、認証システム１は、ユーザの利便性を向上させることができる。なお、このような処理を行う場合は、認証成功時に、ＡＴＭ２０は、ステップＳ１１４で「出金処理を行います」のような、ステップＳ１１５で行うＡＴＭ処理の内容を説明するメッセージ画面をディスプレイ２０６に表示してもよい。
【００６７】
（実施の形態２）
実施の形態１においては、ＡＴＭ２０は、認証処理終了後は通常のＡＴＭ処理を行うが、ＡＴＭ２０での取引内容（入金処理、出金処理等）をＡＴＭアプリが予め、ユーザから取得するようにしてもよい。このように、ＡＴＭアプリが取引内容を予め取得する実施の形態２について説明する。
【００６８】
図８に示すように、実施の形態２に係る認証システム２は、認証システム１の構成に加えて、通信端末３０が取引内容取得部３３と、端末コード表示部３４と、を備え、ＡＴＭ２０が端末コード読取部２５を備える。取引内容取得部３３と端末コード表示部３４は、通信端末３０のＡＴＭアプリの機能として追加されている。
【００６９】
取引内容取得部３３は、ユーザからカードレスＡＴＭサービスで利用する取引内容（入金処理、出金処理等）の入力を受け付けて取得する。なお、取引内容取得部３３は、取引内容に加えて、キャッシュカードの暗証番号をも受け付けて取得してもよい。
【００７０】
端末コード表示部３４は、通信端末３０の備えるディスプレイに、取引内容取得部３３が取得した取引内容の情報を含む端末コード表示する。ここで端末コードとは、例えば２次元コード（ＱＲコード（登録商標）等）である。取引内容取得部３３がキャッシュカードの暗証番号も取得している場合は、端末コードにキャッシュカードの暗証番号の情報を含めてもよい。
【００７１】
端末コード読取部２５は、通信端末３０の端末コード表示部３４が表示した端末コードを読み取って、ユーザが通信端末３０のＡＴＭアプリに入力した取引内容（入金処理、出金処理等）を取得する。
【００７２】
認証システム２のハードウェア構成は、図９に示すように、認証システム１のハードウェア構成に加えて、ＡＴＭ２０がカメラ２０８を備え、ＣＰＵ２０１、ＲＡＭ２０２、ＲＯＭ２０３およびカメラ２０８が協働して端末コード読取部２５として機能する。
【００７３】
次に、図１０を参照して、認証システム２による認証処理について説明する。この認証処理は、図６を参照して説明した認証システム１による認証処理と同一の部分が多いので、相違点を中心に説明する。
【００７４】
まず、ユーザがＡＴＭ２０のディスプレイ２０６に表示されている「カードレス入出金」をタッチすると、ＡＴＭ２０のＡＴＭコード表示部２１は、ＡＴＭ２０のディスプレイ２０６にＡＴＭコードを表示する（ステップＳ１０１）処理は、認証システム１と同じである。認証システム２では、ユーザは、ＡＴＭ２０への操作（「カードレス入出金」タッチ）をするとともに、通信端末３０のＡＴＭアプリに、取引内容（入金処理、出金処理等）を入力する。すると、通信端末３０の取引内容取得部３３は、ユーザが入力した取引内容を取得する（ステップＳ１２１）。そして、ステップＳ１０２以降ステップＳ１１４までの処理は、認証システム１と同じである。
【００７５】
なお、ステップＳ１２１の処理は、図１０では、ユーザが「カードレス入出金」を選択する操作と、ＡＴＭコードを読み取る操作の間で行うように示されているが、これに限られない。ユーザが「カードレス入出金」を選択する操作の前にステップＳ１２１の処理を行ってもよいし、認証装置１０が「認証成功」という認証結果を送信後にステップＳ１２１の処理を行ってもよいし、ユーザがＡＴＭコードを読み取る操作の後で認証装置１０が「認証成功」という認証結果を送信するまでの間にステップ１２１の処理を行ってもよい。
【００７６】
認証装置１０での認証処理（ステップＳ１１２）が失敗した場合には、ＡＴＭ２０は、「認証できませんでした」等のエラーメッセージをディスプレイに表示し、初期画面（「カードレス入出金」のメニューが表示されている画面）に戻り、通信端末３０も取引内容取得（ステップＳ１２１）の前に戻る。
【００７７】
認証装置１０での認証処理が成功した場合には、通信端末３０の端末コード表示部３４は、取引内容取得部３３が取得した取引内容の情報を含む端末コードを通信端末３０のディスプレイに表示する（ステップＳ１２２）。ユーザが通信端末３０のディスプレイに表示された端末コードをＡＴＭ２０のカメラ２０８にかざすと、ＡＴＭ２０の端末コード読取部２５は端末コードを読み取り（ステップＳ１２３）、取引内容を取得する。そして、ＡＴＭ処理実行部２４は、端末コード読取部２５が読み取って取得した取引内容に応じたＡＴＭ処理を、ホストコンピュータ４０と通信して、実行する（ステップＳ１１５）。そして、ユーザがステップＳ１２１で取引内容として例えば出金処理を入力していたのであれば、出金を行って取引を終了する。
【００７８】
以上、認証システム２における認証処理について説明した。以上説明したように、認証システム２を用いることにより、金融機関はキャッシュカードを用いることなく、ユーザがＡＴＭ２０で取引を開始しようとしていることを確認することができ、ユーザはキャッシュカード不要でＡＴＭ２０を使用することができる。そして、認証システム２では、ユーザはＡＴＭ２０での取引内容を通信端末３０に入力しておくことができるので、ＡＴＭ２０のタッチパネル上で操作をしなくても、ＡＴＭ２０のカメラ２０８に、通信端末３０に表示された端末コードをかざすだけで取引を行うことができる。
【００７９】
なお、実施の形態２において、通信端末３０の通信部３２がＡＴＭ２０と通信可能になっていてもよい。この場合は、通信端末３０は、取引内容取得部３３が取得した取引内容を通信部３２を介してＡＴＭ２０に送信することができる。したがって、この場合は、ＡＴＭ２０はカメラ２０８（端末コード読取部２５）を備える必要はなく、通信端末３０は端末コード表示部３４を備える必要はない。そして、図１０に示す認証処理においてステップＳ１２２及びステップＳ１２３の代わりに、取引内容の情報を通信端末３０が通信部３２を介してＡＴＭ２０に送信する処理を行えばよい。
【００８０】
（変形例）
本発明は、上述した実施の形態に限定されるわけではなく、その他の種々の変更が可能である。例えば、認証システム１及び２では、上記実施の形態で示した全ての技術的特徴を備えるものでなくてもよく、従来技術における少なくとも１つの課題を解決できるように、上記実施の形態で説明した一部の構成を備えたものであってもよい。また、下記の変形例それぞれについて、少なくとも一部を組み合わせても良い。
【００８１】
例えば、上述の実施の形態ではＡＴＭコードはＡＴＭ２０を一意に識別するＡＴＭ識別子を含んだものになっていたが、さらに、ＡＴＭ２０での取引内容（入金処理、出金処理等）を示す情報を含むものにしてもよい。このためには、ＡＴＭ２０は、「カードレス入出金」のメニューがユーザに選択された際に、どのような取引を行うのかの選択を行わせるメニューを表示して、ユーザに取引内容を入力させるようにする。そして、ＡＴＭコード表示部２１は、ユーザが入力した取引内容の情報を含むＡＴＭコードを表示するようにする。
【００８２】
このように、ＡＴＭコード表示部２１が取引内容の情報を含むＡＴＭコードを表示するようにすると、認証装置１０、ＡＴＭ２０及び通信端末３０は、ユーザがどのような取引を行うのかを予め知ることができる。したがって、認証装置１０は、取引内容に応じて認証の厳密さを変更することができる。また、ＡＴＭ２０や通信端末３０は、認証成功後の取引内容の入力において、既に取得済みの情報（例えば入金処理なのか、出金処理なのか等）については、取得する必要がなくなり、ユーザの手間を軽減することができる。
【００８３】
また、上述の実施形態では、取引識別子に基づいて取引の認証を行っていたが、取引識別子に加えて、ＡＴＭ識別子や、他の情報（例えば指紋、顔、網膜等の生体情報、取引金額、今までの取引実績等）も用いて取引の認証を行ってもよい。この場合、ＡＴＭ識別子や他の情報は認証の安全性をさらに向上させるために用いるものであり、少なくとも取引識別子に基づく認証が失敗したら、その取引は出来ないようにする。
【００８４】
また、上述の実施形態では、認証装置１０を１つのコンピュータ（サーバ）で実現していたが、これに限られず、認証装置１０を複数のコンピュータ（サーバ）に分散して実現してもよい。例えば、認証装置１０を中継サーバと認証サーバの２つのコンピュータに分散して実現し、中継サーバがＡＴＭ２０や通信端末３０と直接通信し、ＡＴＭ２０や通信端末３０が認証サーバと通信する必要がある場合は、ＡＴＭ２０や通信端末３０と認証サーバとの通信を中継サーバが中継するようにしてもよい。そして、この場合、上述の認証処理は認証サーバで行っても、中継サーバで行ってもよい。
【００８５】
なお、上述した実施の形態におけるユーザの氏名、口座番号、ユーザ識別子、ＡＴＭ２０のＡＴＭ識別子、ＩＰアドレス、各取引の取引識別子等を含む各種の情報は、送受信又は記憶において、さまざまな方法で暗号化または復号化されていてもよい。
【００８６】
認証装置１０、ＡＴＭ２０及び通信端末３０は、専用の装置によらず、通常のコンピュータを用いて実現可能である。例えば、コンピュータに上述のいずれかを実行するためのプログラムを格納した記録媒体から該プログラムをコンピュータにインストールすることにより、上述の処理を実行する認証装置１０、ＡＴＭ２０及び通信端末３０を構成してもよい。また、複数のコンピュータが協働して動作することによって、１つの認証装置１０、ＡＴＭ２０又は通信端末３０を構成しても良い。
【００８７】
また、コンピュータにプログラムを供給するための手法は、任意である。例えば、通信回線、通信ネットワーク、通信システム等を介して供給しても良い。 
【００８８】
また、上述の機能の一部をＯＳ（Ｏｐｅｒａｔｉｎｇ  Ｓｙｓｔｅｍ）が提供する場合には、ＯＳが提供する機能以外の部分をプログラムで提供すれば良い。
【符号の説明】
【００８９】
１，２…認証システム、１０…認証装置、１１…識別子受信部、１２…取引識別子生成部、１３…取引識別子送信部、１４…ユーザ入力取引識別子受信部、１５…認証部、２０…ＡＴＭ、２１…ＡＴＭコード表示部、２２…ユーザ入力取引識別子取得部、２３…ユーザ入力取引識別子送信部、２４…ＡＴＭ処理実行部、２５…端末コード読取部、３０…通信端末、３１…ＡＴＭコード読取部、３２…通信部、３３…取引内容取得部、３４…端末コード表示部、４０…ホストコンピュータ、１０１，２０１…ＣＰＵ、１０２，２０２…ＲＡＭ、１０３，２０３…ＲＯＭ、１０４…ハードディスクドライブ、１０５，２０５…ネットワークカード、２０６…ディスプレイ、２０７…タッチパネル、２０８…カメラ
【図１】
2019191627.tif 000003
【図２】
2019191627.tif 000004
【図３】
2019191627.tif 000005
【図４】
2019191627.tif 000006
【図５】
2019191627.tif 000007
【図６】
2019191627.tif 000008
【図７】
2019191627.tif 000009
【図８】
2019191627.tif 000010
【図９】
2019191627.tif 000011
【図１０】
2019191627.tif 000012